(57)【要約】      （修正有）【課題】消費電力を抑制しながら、近距離無線通信機能を利用した付加価値を利用者に提供することのできる運動情報測定装置、その制御方法、及びその制御プログラムを提供する。【解決手段】運動情報測定装置１０は、利用者の動きに応じた情報を検出する体動検出部１と、体動検出部により検出される情報に基づいて利用者の運動情報を測定する運動情報測定部と、利用者の運動情報を測定する機能を有する他装置と近距離無線通信を行うための通信部３と、他装置との通信を開始するための指示の入力がなされたときのタイミング及び位置の少なくとも一方を示す情報の履歴に基づいて、通信部３の動作状態を制御する通信動作状態制御部と、を備える。【選択図】図１
2016150095.tif 000002
【特許請求の範囲】
【請求項１】
利用者の動きに応じた情報を検出する検出部と、
前記検出部により検出される情報に基づいて利用者の運動情報を測定する運動情報測定部と、
利用者の運動情報を測定する機能を有する他装置と近距離無線通信を行うための通信部と、
前記他装置との通信を開始するための指示の入力がなされたときのタイミング及び位置の少なくとも一方を示す情報の履歴、又は、前記通信部によって前記他装置との通信がなされたときのタイミング及び位置の少なくとも一方を示す情報の履歴に基づいて、前記通信部の動作状態を制御する通信動作状態制御部と、を備える運動情報測定装置。
【請求項２】
請求項１記載の運動情報測定装置であって、
前記指示の入力がなされたときのタイミング及び位置の少なくとも一方を示す情報を記憶する記憶部を備え、
前記通信動作状態制御部は、前記通信部の電源がオフの状態で前記指示の入力がなされると、前記他装置との通信を終了するための指示がなされるまで前記通信部の電源をオンし、前記指示の入力がない状態では、任意の時点におけるタイミング及び位置の少なくとも一方を示す情報が、前記記憶部に記憶されたタイミング及び位置の少なくとも一方を示す情報の履歴に基づく条件を満たすか否かによって、前記通信部の電源をオンにするかオフにするかを制御する運動情報測定装置。
【請求項３】
請求項１記載の運動情報測定装置であって、
前記通信部によって他装置と通信がなされたときのタイミング及び位置の少なくとも一方を示す情報を記憶する記憶部を備え、
前記通信動作状態制御部は、前記運動情報測定装置の起動中は前記通信部の電源をオンにし、前記通信部の電源がオンの間は、任意の時点におけるタイミング及び位置の少なくとも一方を示す情報が、前記記憶部に記憶されたタイミング及び位置の少なくとも一方を示す情報の履歴に基づく条件を満たすか否かによって、前記通信部を第一の消費電力で動作させるか、前記通信部を前記第一の消費電力よりも大きい第二の消費電力で動作させるかを制御する運動情報測定装置。
【請求項４】
請求項２記載の運動情報測定装置であって、
利用者の行動を識別する行動識別部を更に備え、
前記記憶部は、前記指示の入力がなされたときに前記行動識別部によって識別された行動の情報を記憶し、
前記通信動作状態制御部は、前記指示の入力がない状態では、任意の時点におけるタイミング及び位置の少なくとも一方を示す情報が、前記記憶部に記憶されたタイミング及び位置の少なくとも一方を示す情報の履歴に基づく条件を満たし、かつ、前記任意の時点における前記行動識別部により識別された行動が、前記記憶部に記憶された行動の情報の履歴に基づく条件を満たすか否かによって、前記通信部の電源をオンにするかオフにするかを制御する運動情報測定装置。
【請求項５】
請求項２記載の運動情報測定装置であって、
利用者の行動を識別する行動識別部を更に備え、
前記記憶部は、前記通信部によって前記他装置と通信がなされたときに前記行動識別部によって識別された行動の情報を記憶し、
前記通信動作状態制御部は、前記通信部の電源がオンの間は、任意の時点におけるタイミング及び位置の少なくとも一方を示す情報が、前記記憶部に記憶されたタイミング及び位置の少なくとも一方を示す情報の履歴に基づく条件を満たし、かつ、前記任意の時点において前記行動識別部により識別された行動が、前記記憶部に記憶された行動の情報の履歴に基づく条件を満たすか否かによって、前記通信部を第一の消費電力で動作させるか、前記通信部を前記第一の消費電力よりも大きい第二の消費電力で動作させるかを制御する運動情報測定装置。
【請求項６】
利用者の動きに応じた情報を検出する検出部と、前記検出部により検出される情報に基づいて利用者の運動情報を測定する運動情報測定部と、利用者の運動情報を測定する機能を有する他装置と近距離無線通信を行うための通信部と、を有する運動情報測定装置の制御方法であって、
前記他装置との通信を開始するための指示の入力がなされたときのタイミング及び位置の少なくとも一方を示す情報の履歴、又は、前記通信部によって前記他装置との通信がなされたときのタイミング及び位置の少なくとも一方を示す情報の履歴に基づいて、前記通信部の動作状態を制御するステップを備える運動情報測定装置の制御方法。
【請求項７】
請求項６記載の運動情報測定装置の制御方法のステップをコンピュータに実行させるための制御プログラム。
【発明の詳細な説明】
【技術分野】
【０００１】
本発明は、運動情報測定装置、運動情報測定装置の制御方法、及び運動情報測定装置の制御プログラムに関する。
【背景技術】
【０００２】
近年、加速度センサ及び角速度センサ等の体の動きを検出する動き検出センサを用いることにより、活動量（歩数、歩行距離、消費カロリー等）及び移動速度（歩行速度、走行速度等）等の運動情報を測定することのできる運動情報測定装置の開発が盛んである。こういった運動情報測定装置には、近距離無線通信機能を有するものが知られており、この機能を利用することで、様々なサービスが提供可能である。
【０００３】
例えば、特許文献１には、歩行のピッチに依存する情報である活動強度を他の歩数計と直接交換して、活動強度の比較により、歩行相性を判定する歩数計が開示されている。
【０００４】
また、携帯端末における近距離無線通信の開始タイミングを制御する技術が特許文献２に記載されている。特許文献２には、心拍計測装置からの心拍数データを受信する携帯端末が記載されている。この携帯端末には姿勢を判別する姿勢判別部が設けられ、携帯端末の姿勢に応じて心拍計測装置からのデータ受信を行う受信部の電源をオンオフ制御している。
【先行技術文献】
【特許文献】
【０００５】
【特許文献１】特開２０１１−０９０４２６号公報
【特許文献２】特開２０１３−１３２４２０号公報
【発明の概要】
【発明が解決しようとする課題】
【０００６】
特許文献１によれば、複数利用者の運動情報を利用することで、これまでにないサービスを利用者に提供することが可能である。運動情報の交換に限らず、近距離無線通信機能を利用して複数の運動情報測定装置が近くにあることを検知し、この複数の運動情報測定装置の各々の利用者に付加価値を与えるようなサービスを提供することも考えられる。こういったサービスを提供することで、運動情報測定装置の利用を促進して、利用者の健康増進を図ることが可能になる。
【０００７】
このように、近距離無線通信機能を利用して、複数の装置間で情報の送受信を行ったり、複数の装置が近くにあることを検知したりするためには、近距離無線通信機能を常にオンにしておく必要があり、装置の消費電力が大きくなる。活動量計等の小型の運動情報測定装置においては、電池容量に限りがあるため、近距離無線通信にかかる電力の電池持ちへの影響が大きい。情報交換等を行いたいときだけ近距離無線通信機能を手動操作でオンにすることも考えられるが、これでは利用者の手間が増えてしまう。
【０００８】
特許文献１に記載の装置は、近距離無線通信機能は常にオンになっていると想定されるため、消費電力が大きくなる。
【０００９】
特許文献２に記載の装置は、近距離無線通信機能が自動でオンオフされるため、携帯端末の消費電力を削減可能である。しかし、異なる利用者の所持する端末間での近距離無線通信を行う際のことは考慮していない。
【００１０】
本発明は、上記事情に鑑みてなされたものであり、利用者に手間をかけることなく消費電力を抑制しながら、近距離無線通信機能を利用した付加価値を利用者に提供することのできる運動情報測定装置、その制御方法、及びその制御プログラムを提供することを目的とする。
【課題を解決するための手段】
【００１１】
本発明の運動情報測定装置は、利用者の動きに応じた情報を検出する検出部と、前記検出部により検出される情報に基づいて利用者の運動情報を測定する運動情報測定部と、利用者の運動情報を測定する機能を有する他装置と近距離無線通信を行うための通信部と、前記他装置との通信を開始するための指示の入力がなされたときのタイミング及び位置の少なくとも一方を示す情報の履歴、又は、前記通信部によって前記他装置との通信がなされたときのタイミング及び位置の少なくとも一方を示す情報の履歴に基づいて、前記通信部の動作状態を制御する通信動作状態制御部と、を備えるものである。
【００１２】
本発明の運動情報測定装置の制御方法は、利用者の動きに応じた情報を検出する検出部と、前記検出部により検出される情報に基づいて利用者の運動情報を測定する運動情報測定部と、利用者の運動情報を測定する機能を有する他装置と近距離無線通信を行うための通信部と、を有する運動情報測定装置の制御方法であって、前記他装置との通信を開始するための指示の入力がなされたときのタイミング及び位置の少なくとも一方を示す情報の履歴、又は、前記通信部によって前記他装置との通信がなされたときのタイミング及び位置の少なくとも一方を示す情報の履歴に基づいて、前記通信部の動作状態を制御するステップを備えるものである。
【００１３】
本発明の運動情報測定装置の制御プログラムは、前記運動情報測定装置の制御方法のステップをコンピュータに実行させるためのプログラムである。
【発明の効果】
【００１４】
本発明によれば、利用者に手間をかけることなく消費電力を抑制しながら、近距離無線通信機能を利用した付加価値を利用者に提供することのできる運動情報測定装置、その制御方法、及びその制御プログラムを提供することができる。
【図面の簡単な説明】
【００１５】
【図１】本発明の一実施形態を説明するための運動情報測定装置１０の概略構成を示すブロック図である。
【図２】図１に示す運動情報測定装置１０の制御部２によって実現される機能ブロックを示す図である。
【図３】図１に示す運動情報測定装置１０の動作を説明するためのフローチャートである。
【図４】図１に示す運動情報測定装置１０の動作の変形例を説明するためのフローチャートである。
【図５】図１に示す運動情報測定装置１０の制御部２の機能ブロックの変形例を示す図である。
【図６】図５に示す制御部２を含む運動情報測定装置１０の動作を説明するためのフローチャートである。
【図７】図５に示す制御部２を含む運動情報測定装置１０の動作の変形例を説明するためのフローチャートである。
【発明を実施するための形態】
【００１６】
図１は、本発明の一実施形態を説明するための運動情報測定装置１０の概略構成を示すブロック図である。運動情報測定装置１０は、利用者の体に装着（衣服のポケットに入れた状態も含む）されて使用されるものであり、具体例としては歩数計や活動量計やスポーツウォッチ等である。また、運動情報測定装置１０は、運動情報を測定するための専用の機器に限らず、スマートフォン等の別の機能を主とする電子機器であってもよい。
【００１７】
運動情報測定装置１０は、体動検出部１と、全体を統括制御する制御部２と、通信部３と、操作部４と、フラッシュメモリやＲＯＭ（Ｒｅａｄ  Ｏｎｌｙ  Ｍｅｍｏｒｙ）等の記憶媒体を含む記憶部５と、ＧＰＳ（Ｇｌｏｂａｌ  Ｐｏｓｉｔｉｏｎｉｎｇ  Ｓｙｓｔｅｍ）受信機６と、を備える。
【００１８】
体動検出部１は、運動情報測定装置１０が装着された利用者の体の部位の動きに応じた情報（加速度、角速度等）を検出する。体動検出部１は、加速度センサ及び角速度センサ等の各種モーションセンサと、各種モーションセンサから出力された信号を処理する信号処理部とを含む。体動検出部１は、少なくとも１つのモーションセンサとこのモーションセンサからの信号を処理する信号処理部を含んでいればよい。体動検出部１は、利用者の動きに応じた情報を検出する検出部として機能する。
【００１９】
制御部２は、記憶部５のＲＯＭに記憶されたプログラムを実行するプロセッサを主体に構成される。
【００２０】
通信部３は、他の運動情報測定装置１０を含む電子機器（以下、他装置という）と近距離無線通信を行うためのインターフェースである。近距離無線通信とは、インターネット等のネットワークを介さずに装置間で直接通信を行える通信規格に準拠した通信のことを言う。このインターフェースとしては、ＡＮＴ（ＰＡＮ（Ｐｅｒｓｏｎａｌ  Ａｒｅａ  Ｎｅｔｗｏｒｋ）向けの規格）に準拠した通信インターフェース、ブルートゥース（登録商標）に準拠した通信インターフェース等が用いられる。
【００２１】
操作部４は、制御部２に各種指示を入力するためのデバイスであり、ボタンやタッチパネル等により構成される。
【００２２】
記憶部５は、体動検出部１によって検出された検出情報を記憶したり、通信部３を介して受信した情報を記憶したり、運動情報測定装置１０の動作に必要な情報を記憶したりする。
【００２３】
ＧＰＳ受信機６は、運動情報測定装置１０の位置情報を取得するための位置情報取得部であり、取得した位置情報を制御部２に通知する。
【００２４】
図２は、図１に示す運動情報測定装置１０の制御部２によって実現される機能ブロックを示す図である。この機能ブロックは、記憶部５に記憶されたプログラムをプロセッサが実行することにより形成される。
【００２５】
図２に示すように、制御部２は、運動情報測定部２０と、記憶制御部２１と、通信動作状態制御部２２と、を備える。
【００２６】
運動情報測定部２０は、体動検出部１により検出される検出情報に基づいて利用者の運動情報を測定する。この運動情報には、利用者の活動量（歩数、歩行距離、消費カロリー等）及び移動速度等が含まれる。移動速度は、例えば、歩行速度、走行速度等の移動の速さを示す情報である。運動情報としては少なくとも歩数を含む活動量が含まれていればよい。
【００２７】
記憶制御部２１は、通信部３によって他装置との通信を開始するための指示（以下、通信開始指示という）の入力が操作部４を介してなされたときのタイミング及び位置を示す情報を記憶部５に記憶する。
【００２８】
タイミングを示す情報とは、通信開始指示がなされたときの曜日を示す情報、又は、通信開始指示がなされたときの時刻を示す情報等である。
【００２９】
位置を示す情報とは、通信開始指示がなされたときにＧＰＳ受信機６によって取得された位置情報を示す。なお、ＧＰＳ受信機６の代わりに、制御部２が、通信部３の電源がオンのときに、通信部３を介してＧＰＳ受信機等の位置情報を取得する機能を持つ他装置から位置情報を取得する構成としてもよい。
【００３０】
通信動作状態制御部２２は、通信開始指示の入力がなされたときのタイミング及び位置を示す情報の履歴に基づいて、通信部３の動作状態を制御する。
【００３１】
以上のように構成された運動情報測定装置１０の動作を説明する。
【００３２】
図３は、図１に示す運動情報測定装置１０の動作を説明するためのフローチャートである。運動情報測定装置１０の電源がオンされると、制御部２は、通信部３以外の各部の電源をオンにする。
【００３３】
そして、操作部４が操作されて通信開始指示が入力されると（ステップＳ１：ＹＥＳ）、制御部２の通信動作状態制御部２２は、通信部３の電源をオンにする（ステップＳ２）。ステップＳ２の後、制御部２の記憶制御部２１は、通信開始指示の入力がなされたときのタイミングを示す情報（ここでは時刻情報とする）と、通信開始指示の入力がなされた時点でＧＰＳ受信機６により取得された運動情報測定装置１０の位置を示す情報とを記憶部５に記憶する（ステップＳ３）。
【００３４】
記憶部５には、例えば１日を１時間毎に２４分割した項目を有するタイミングテーブルが記憶されている。記憶制御部２１は、通信開始指示の入力がなされたときの時刻情報が、タイミングテーブルのどの項目に該当するかを判断し、該当する項目に対しフラグを記憶することで、この時刻情報をタイミングテーブルに記憶する。
【００３５】
また、記憶部５には、ある範囲を示す位置情報を項目として有する位置情報テーブルが記憶されている。記憶制御部２１は、通信開始指示の入力がなされたときの運動情報測定装置１０の位置情報が、位置情報テーブルのどの項目に該当するかを判断し、該当する項目に対しフラグを記憶することで、この位置情報を位置情報テーブルに記憶する。記憶制御部２１は、運動情報測定装置１０の位置情報が位置情報テーブルの項目にない場合には、位置情報テーブルの項目を新規に追加して、追加した項目にフラグを記憶する。
【００３６】
このようにして、記憶部５には、どのタイミングで通信開始指示がなされたか、どの位置に運動情報測定装置１０があるときに通信開始指示がなされたか、を示す、通信開始指示の入力がなされたときのタイミング及び位置を示す情報の履歴が記憶されていく。
【００３７】
ステップＳ３の後、通信部３を利用した他装置との通信を終了させる指示（通信終了指示という）の入力が操作部４を介してなされると（ステップＳ４：ＹＥＳ）、制御部２の通信動作状態制御部２２は、通信部３の電源をオフする（ステップＳ５）。ステップＳ５の後はステップＳ１に処理が戻る。
【００３８】
ステップＳ１の判定がＮＯの場合、つまり、通信開始指示の入力がない状態において、制御部２の通信動作状態制御部２２は、任意の時点におけるタイミング及び位置を示す情報が、記憶部５に記憶されたタイミング及び位置を示す情報の履歴に基づく条件を満たすか否かを判定する（ステップＳ６）。
【００３９】
この条件を満たすとは、記憶部５に記憶されているフラグの数が閾値以上となっているタイミングテーブル及び位置情報テーブルの項目に、任意の時点におけるタイミング及び位置を示す情報が該当することを言う。
【００４０】
具体的には、通信動作状態制御部２２は、タイミングテーブルにおいて、任意の時点での時刻情報に該当する項目に記憶されているフラグの数が閾値を超えており、かつ、位置情報テーブルにおいて、この任意の時点での運動情報測定装置１０の位置情報に該当する項目に記憶されているフラグの数が閾値を超えるか否かを判定する。
【００４１】
この判定の結果がＹＥＳのとき、通信動作状態制御部２２は通信部３の電源をオンする（ステップＳ７）。これにより、通信部３が他装置と通信可能な状態になる。ステップＳ７の後は、任意の間隔で定期的にステップＳ６の処理が行われ、ステップＳ６の判定がＮＯになると、通信動作状態制御部２２は、通信部３の電源をオフにする（ステップＳ８）。ステップＳ８の後はステップＳ１に処理が戻る。
【００４２】
以上のように、運動情報測定装置１０では、通信開始指示の入力によって利用者の意思により通信部３を利用した通信を開始することができる。この通信開始指示がなされたときのタイミング及び位置を示す情報が記憶部５に蓄積されていくと、通信開始指示の入力がない状態でも、記憶部５に記憶されたタイミング及び位置を示す情報の履歴に基づく条件を満たす状況になったときに、通信部３の電源が自動的にオンとなる。
【００４３】
つまり、利用者が運動情報測定装置１０を使っていくうちに、よく通信を行うタイミングと位置が制御部２によって学習されていき、この学習結果に基づいて通信部３の電源が自動的にオンになる。このため、通信部３の電源が常時オンになっている場合と比較して、消費電力を下げることができる。また、記憶部５に記憶されるフラグの数が少ないうちは、手動で通信開始指示を行う必要があるものの、フラグの数が増えてくると、利用者が手動操作を行わずとも通信部３の電源がオンになるため、最終的には利用者の手間を減らすことが可能となる。
【００４４】
なお、図３のフローチャートにおいて、ステップＳ７の処理が行われたときには、制御部２が、通信部３の電源をオンにしていることを利用者に報知してもよい。報知の方法は、運動情報測定装置１０に表示部があれば表示部に情報を表示したり、運動情報測定装置１０にスピーカーがあれば音で報知したりする。
【００４５】
このようにすることで、利用者は、通信部３の電源が自動的にオンになるタイミング及び位置を知ることができ、以降は、同じ時間帯及び位置においては、通信開始指示を行わなくてもよいことを知ることができる。利用者が、通信部３が自動的にオンになるタイミング及び位置を学習していくことで、通信開始指示を行う回数を徐々に減らしていくことができ、利用者負担を減らすことができる。
【００４６】
以上の説明では、記憶部５にタイミングテーブルと位置情報テーブルを記憶しておき、それぞれのテーブルにフラグを記憶させるものとした。しかし、記憶部５には、タイミングテーブルと位置情報テーブルのいずれかを記憶しておく構成でもよい。
【００４７】
この場合は、図３のステップＳ３において、記憶制御部２１は、運動情報測定装置１０のタイミングを示す情報又は位置を示す情報をフラグとして記憶部５に記憶する。また、図３のステップＳ６において、通信動作状態制御部２２は、タイミングテーブルにおいて任意の時点における時刻情報に該当する項目に記憶されたフラグの数が閾値以上、又は、位置情報テーブルにおいて任意の時点における位置情報に該当する項目に記憶されたフラグの数が閾値以上、となっているか否かを判定する。
【００４８】
このように、利用者が運動情報測定装置１０を使っていくうちに、よく通信開始指示が行われるタイミング又は位置が制御部２によって学習されていき、この学習結果に基づいて通信部３の電源を自動的にオンにする構成であってもよい。
【００４９】
図４は、図１に示す運動情報測定装置１０の動作の変形例を説明するためのフローチャートである。この変形例では、通信動作状態制御部２２は、運動情報測定装置１０の起動中は通信部３の電源を常時オンにする。通信動作状態制御部２２は、通信部３によって他装置との通信がなされたときのタイミング及び位置を示す情報の履歴に基づいて、通信部３の動作状態を制御する。
【００５０】
具体的には、通信動作状態制御部２２は、通信部３の電源がオンの間は、任意の時点におけるタイミング及び位置を示す情報が、記憶部５に記憶されたタイミング及び位置を示す情報の履歴に基づく条件を満たすか否かによって、通信部３を第一の消費電力で動作させるか、第一の消費電力よりも大きい第二の消費電力で動作させるかを制御する。
【００５１】
通信部３を第一の消費電力で動作させる状態とは、例えば他装置との通信確立に必要な通信処理（例えば、通信可能な端末をサーチするための電波の送信処理）の実施間隔を長くして消費電力を低くした状態である。また、通信部３を第二の消費電力で動作させる状態とは、この通信処理の実施間隔を短くした状態である。この通信処理の実施間隔を短くすることで、他装置との通信を効率的に行うことができる。
【００５２】
運動情報測定装置１０の電源がオンとなり運動情報測定装置１０が起動すると、通信動作状態制御部２２は、通信部３を第一の消費電力で動作させる（ステップＳ１１）。
【００５３】
次に、通信動作状態制御部２２は、通信部３によって他装置との通信がなされたか否かを判定する（ステップＳ１２）。他装置との通信がなされるとは、他装置との通信が確立された状態をいう。
【００５４】
ステップＳ１２の判定がＹＥＳのとき、記憶制御部２１は、通信開始指示の入力がなされたときのタイミングを示す情報と、通信開始指示の入力がなされた時点でＧＰＳ受信機６により取得された運動情報測定装置１０の位置情報とを記憶部５に記憶する（ステップＳ１３）。ステップＳ１３の処理はステップＳ３の処理と同じである。
【００５５】
ステップＳ１３の後はステップＳ１２に処理が戻る。ステップＳ１２の判定がＮＯのとき、制御部２の通信動作状態制御部２２は、任意の時点におけるタイミング及び位置を示す情報が、記憶部５に記憶されたタイミング及び位置を示す情報の履歴に基づく条件を満たすか否かを判定する（ステップＳ１４）。ステップＳ１４の処理はステップＳ６の処理と同じである。
【００５６】
ステップＳ１４の判定がＹＥＳのとき、通信動作状態制御部２２は、通信部３を第二の消費電力で動作させる（ステップＳ１５）。ステップＳ１５の後はステップＳ１４に処理が戻る。ステップＳ１４の判定がＮＯのときはステップＳ１１に処理が戻る。
【００５７】
以上のように、運動情報測定装置１０の起動中は通信部３の電源を常時オンにしておく場合でも、運動情報測定装置１０が、記憶部５に記憶されたタイミング及び位置を示す情報の履歴に基づく条件を満たす状況にあるとき以外は、通信部３の消費電力を抑制することができる。また、このような消費電力の抑制を、利用者に手間をかけることなく実現することができる。また、この変形例によれば、図３の動作と比較して、利用者が通信開始指示のための操作を行う必要がないため、利用者の負担を更に少なくすることができる。
【００５８】
図５は、図２に示す制御部２の機能ブロックの変形例を示す図である。図５に示す制御部２は、行動識別部２３を追加した点を除いては図２に示したものと同じ構成である。
【００５９】
行動識別部２３は、体動検出部１によって検出される利用者の動きに応じた情報に基づいて、歩く、走る、立つ、座る、寝る、電車やバス等の移動体に乗る等の予め定めた行動を識別する処理を行う。行動識別部２３は、体動検出部１の他に、ＧＰＳ受信機６で検出される位置情報を利用して行動識別を行うこともできる。
【００６０】
図５に示す制御部２の記憶制御部２１は、通信開始指示の入力がなされたときに行動識別部２３によって識別された行動の情報を記憶部５に記憶する。
【００６１】
図５に示す制御部２の通信動作状態制御部２２は、通信開始指示の入力がない状態では、任意の時点におけるタイミング及び位置を示す情報が、記憶部５に記憶されたタイミング及び位置を示す情報の履歴に基づく条件を満たし、かつ、この任意の時点における行動識別部２３により識別された行動が、記憶部５に記憶された行動の情報の履歴に基づく条件を満たすか否かによって、通信部３の電源をオンにするかオフにするかを制御する。
【００６２】
図６は、図５に示す制御部２を含む運動情報測定装置１０の動作を説明するためのフローチャートである。図６において図３と同じ処理には同一符号を付して説明を省略する。図６に示すフローチャートは、図３に示すフローチャートにおいて、ステップＳ３をステップＳ３ａに変更し、ステップＳ６をステップＳ６ａに変更したものである。
【００６３】
ステップＳ３ａにおいて、制御部２の記憶制御部２１は、通信開始指示の入力がなされたときのタイミングを示す情報と、通信開始指示の入力がなされた時点でＧＰＳ受信機６により取得された運動情報測定装置１０の位置を示す情報とを記憶部５に記憶する。ここまでの動作は図３のステップＳ３と同じである。
【００６４】
ステップＳ３ａにおいて、記憶制御部２１は、更に、通信開始指示の入力がなされたときに行動識別部２３により識別された行動の情報を記憶部５に記憶する。
【００６５】
記憶部５には、行動種別を項目とする行動テーブルが記憶されており、記憶制御部２１は、行動識別部２３によって識別された行動に該当する項目にフラグを記憶することで、行動識別部２３によって識別された行動の情報を記憶部５に記憶する。
【００６６】
ステップＳ３ａの処理により、記憶部５には、どのタイミングで通信開始指示がなされたか、どの位置に運動情報測定装置１０があるときに通信開始指示がなされたか、どの行動が行われているときに通信開始指示がなされたかを示す、通信開始指示の入力がなされたときのタイミング、位置、及び行動を示す情報の履歴が記憶されていく。
【００６７】
ステップＳ６ａにおいて、通信動作状態制御部２２は、任意の時点におけるタイミング及び位置が、記憶部５に記憶されたタイミング及び位置を示す情報の履歴に基づく条件を満たし、かつ、任意の時点における利用者の行動が記憶部５に記憶された行動の情報の履歴に基づく条件を満たすか否かを判定する。
【００６８】
記憶部５に記憶されたタイミング及び位置を示す情報の履歴に基づく条件を満たすとは、記憶部５に記憶されているフラグの数が閾値以上となっているタイミングテーブル及び位置情報テーブルの項目に、任意の時点におけるタイミング及び位置を示す情報が該当することを言う。
【００６９】
記憶部５に記憶された行動の情報の履歴に基づく条件を満たすとは、記憶部５に記憶されているフラグの数が閾値以上となっている行動テーブルの項目に、任意の時点において行動識別部２３により識別された行動の情報が該当することを言う。
【００７０】
具体的には、ステップＳ６ａにおいて、通信動作状態制御部２２は、タイミングテーブルにおいて、現時点での時刻情報に該当する項目に記憶されているフラグの数が閾値を超えており、かつ、位置情報テーブルにおいて、現時点での運動情報測定装置１０の位置情報に該当する項目に記憶されているフラグの数が閾値を超えており、かつ、行動テーブルにおいて、現時点での行動の情報に該当する項目に記憶されているフラグの数が閾値を超えるか否かを判定する。
【００７１】
そして、ステップＳ６ａの判定がＹＥＳのときにステップＳ７の処理が行われ、ステップＳ６ａの判定がＮＯときはステップＳ８の処理が行われる。
【００７２】
以上のように、通信開始指示の入力がない状態では、任意の時点における時刻情報、位置情報、及び行動の情報が、記憶部５に記憶されているテーブルに基づく条件を満たすときにのみ、通信部３の電源がオンになる。このように、時刻と位置だけでなく、利用者の行動も加味して通信部３をオンにすべき条件を決めることで、必要のないときに通信部３の電源がオンになる可能性を減らすことができ、より効果的に消費電力を削減することができる。
【００７３】
図７は、図５に示す制御部２を含む運動情報測定装置１０の動作の変形例を説明するためのフローチャートである。図７において図４と同じ処理には同一符号を付して説明を省略する。図７に示すフローチャートは、図４に示すフローチャートにおいて、ステップＳ１３をステップＳ１３ａに変更し、ステップＳ１４をステップＳ１４ａに変更したものである。
【００７４】
ステップＳ１３ａの処理は図６のステップＳ３ａの処理と同じであり、ステップＳ１４ａの処理は図６のステップＳ６ａの処理と同じである。
【００７５】
以上のように、運動情報測定装置１０の起動中は通信部３の電源を常時オンにしておく場合でも、記憶部５に記憶されたタイミング、位置、及び行動を示す情報の履歴に基づく条件を満たすとき以外は、通信部３の消費電力を抑制することができる。
【００７６】
図６においても、図３のフローチャートと同様に、ステップＳ３ａにおいて、記憶制御部２１が、タイミング（又は位置）及び行動を示す情報を記憶部５に記憶し、ステップＳ６ａにおいて、通信動作状態制御部２２が、記憶部５に記憶されたタイミング（又は位置）及び行動を示す情報の履歴に基づく条件を満たすか否かを判定してもよい。
【００７７】
図２及び図５に示した各機能ブロックによる処理（図３、図４、図６、及び図７に示したフローチャートの各処理）をコンピュータに実行させるためのプログラムは、このプログラムをコンピュータが読取可能な一時的でない（ｎｏｎ−ｔｒａｎｓｉｔｏｒｙ）記録媒体に記録されて提供可能である。
【００７８】
このような「コンピュータ読取可能な記録媒体」は、たとえば、ＣＤ−ＲＯＭ（Ｃｏｍｐａｃｔ  Ｄｉｓｃ−ＲＯＭ）等の光学媒体や、メモリカード等の磁気記録媒体等を含む。また、このようなプログラムを、ネットワークを介したダウンロードによって提供することもできる。
【００７９】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００８０】
以上説明してきたように、本明細書には以下の事項が開示されている。
【００８１】
開示された運動情報測定装置は、利用者の動きに応じた情報を検出する検出部と、前記検出部により検出される情報に基づいて利用者の運動情報を測定する運動情報測定部と、利用者の運動情報を測定する機能を有する他装置と近距離無線通信を行うための通信部と、前記他装置との通信を開始するための指示の入力がなされたときのタイミング及び位置の少なくとも一方を示す情報の履歴、又は、前記通信部によって前記他装置との通信がなされたときのタイミング及び位置の少なくとも一方を示す情報の履歴に基づいて、前記通信部の動作状態を制御する通信動作状態制御部と、を備えるものである。
【００８２】
開示された運動情報測定装置は、前記指示の入力がなされたときのタイミング及び位置の少なくとも一方を示す情報を記憶する記憶部を備え、前記通信動作状態制御部は、前記通信部の電源がオフの状態で前記指示の入力がなされると、前記他装置との通信を終了するための指示がなされるまで前記通信部の電源をオンし、前記指示の入力がない状態では、任意の時点におけるタイミング及び位置の少なくとも一方を示す情報が、前記記憶部に記憶されたタイミング及び位置の少なくとも一方を示す情報の履歴に基づく条件を満たすか否かによって、前記通信部の電源をオンにするかオフにするかを制御するものである。
【００８３】
開示された運動情報測定装置は、前記通信部によって他装置と通信がなされたときのタイミング及び位置の少なくとも一方を示す情報を記憶する記憶部を備え、前記通信動作状態制御部は、前記運動情報測定装置の起動中は前記通信部の電源をオンにし、前記通信部の電源がオンの間は、任意の時点におけるタイミング及び位置の少なくとも一方を示す情報が、前記記憶部に記憶されたタイミング及び位置の少なくとも一方を示す情報の履歴に基づく条件を満たすか否かによって、前記通信部を第一の消費電力で動作させるか、前記通信部を前記第一の消費電力よりも大きい第二の消費電力で動作させるかを制御するものである。
【００８４】
開示された運動情報測定装置は、利用者の行動を識別する行動識別部を更に備え、前記記憶部は、前記指示の入力がなされたときに前記行動識別部によって識別された行動の情報を記憶し、前記通信動作状態制御部は、前記指示の入力がない状態では、任意の時点におけるタイミング及び位置の少なくとも一方を示す情報が、前記記憶部に記憶されたタイミング及び位置の少なくとも一方を示す情報の履歴に基づく条件を満たし、かつ、前記任意の時点における前記行動識別部により識別された行動が、前記記憶部に記憶された行動の情報の履歴に基づく条件を満たすか否かによって、前記通信部の電源をオンにするかオフにするかを制御するものである。
【００８５】
開示された運動情報測定装置は、利用者の行動を識別する行動識別部を更に備え、前記記憶部は、前記通信部によって前記他装置と通信がなされたときに前記行動識別部によって識別された行動の情報を記憶し、前記通信動作状態制御部は、前記通信部の電源がオンの間は、任意の時点におけるタイミング及び位置の少なくとも一方を示す情報が、前記記憶部に記憶されたタイミング及び位置の少なくとも一方を示す情報の履歴に基づく条件を満たし、かつ、前記任意の時点において前記行動識別部により識別された行動が、前記記憶部に記憶された行動の情報の履歴に基づく条件を満たすか否かによって、前記通信部を第一の消費電力で動作させるか、前記通信部を前記第一の消費電力よりも大きい第二の消費電力で動作させるかを制御するものである。
【００８６】
開示された運動情報測定装置の制御方法は、利用者の動きに応じた情報を検出する検出部と、前記検出部により検出される情報に基づいて利用者の運動情報を測定する運動情報測定部と、利用者の運動情報を測定する機能を有する他装置と近距離無線通信を行うための通信部と、を有する運動情報測定装置の制御方法であって、前記他装置との通信を開始するための指示の入力がなされたときのタイミング及び位置の少なくとも一方を示す情報の履歴、又は、前記通信部によって前記他装置との通信がなされたときのタイミング及び位置の少なくとも一方を示す情報の履歴に基づいて、前記通信部の動作状態を制御するステップを備えるものである。
【００８７】
開示された運動情報測定装置の制御プログラムは、前記運動情報測定装置の制御方法のステップをコンピュータに実行させるためのプログラムである。
【符号の説明】
【００８８】
１０  運動情報測定装置
１  体動検出部
２  制御部
３  通信部
４  操作部
５  記憶部
６  ＧＰＳ受信機
２０  運動情報測定部
２１  記憶制御部
２２  通信動作状態制御部
２３  行動識別部
【図１】
2016150095.tif 000003
【図２】
2016150095.tif 000004
【図３】
2016150095.tif 000005
【図４】
2016150095.tif 000006
【図５】
2016150095.tif 000007
【図６】
2016150095.tif 000008
【図７】
2016150095.tif 000009